(57)【要約】      （修正有）【課題】蓬を乾燥し、３０００回ほど叩いた蓬を艾状にし、真綿に包み込む事で全体的に軟らかく、保温性に富む膝掛け布団を提供する。【解決手段】内袋１は、乾燥した蓬２を３０００回ほど叩き、蓬２を艾状にし、これを平らに伸ばして引き、真綿３で包んで布の袋に入れて綴じ、中身が片方によらないために、７ｃｍ間隔で縦長に荒い縫糸で縫い、内袋の４隅に紐６を縫い合わせて構成され、表袋７は、周りに毛糸とビーズで花模様を作り表地に花模様を描く。さらに、一部隅には造花を設けて装飾されて構成され、その内側の４隅に紐１５を縫い付けてなり、出入口１６のほうから内袋１を入れた４隅の紐６と表袋７の内側４隅の紐１５とを蝶むすび１７に結び付けて、出入口１６に設けた接着具１８を接着し、真綿３に包んだ膝掛け布団とする。【選択図】図５
0003164856.tif 000002
【実用新案登録請求の範囲】
【請求項１】
内袋１は、乾燥した蓬２を３０００回ほど叩き、艾状にして、これを平らに伸ばして引き、真綿３で包んで布の袋４に入れて綴じ、中身の蓬２が片方によらないために、７ｃｍ間隔で縦長に荒い縫糸４で縫い、内袋の４隅に紐６（６１・６２・６３・６４）を縫い合わせて構成され、表袋７は、周りに毛糸８とビーズ９で花模様１０を作り、４隅に造花１１を設置し、表地１２の周り花模様を描いて装飾帯１３を設けてなり、一部隅には造花１４を設けて装飾されて表地１２を構成され、表袋７の内側には、４隅に紐１５（１５１・１５２・１５３・１５４）を縫い付けてなり、裏側の上部には出入口１６から内袋１を入らせて４隅の紐６１・６２・６３・６４と表袋７の内側４隅の紐１５１・１５２・１５３・１５４とを蝶むすび１８に設けて、出入口１７に設けた接着具１８を接着し、真綿に包んだ膝掛け布団２１を作り、膝にかけ又は幼児の昼寝に掛け布団として用い、中身の蓬２から心地よい蓬２の香りと蓬の成分がにじみ出て、暖かく暖まる成分がでて、膝掛けとしての効果があり、幼児の昼寝に掛け布団として用いても、睡眠が良くとれる等して最適であることを特徴とする真綿に包んだ膝掛け布団１９である。
【請求項２】
表袋７は、出入口１６に設けた接着具１８をはずして、４隅にある表袋７内側の紐１５と内袋１の外側の紐６蝶むすび１７を解き、表袋７から内袋１をはずし、さらに、表袋７の一端に造花１４をはずして、表袋７の染みなどの汚れを洗濯することができることを特徴とする請求項１に記載の真綿に包んだ膝掛け布団１９である。
【請求項３】
内袋１は、入り口に設けた接着具１８をはずして、４隅にある表袋７の内側の紐１５と内袋の紐６蝶むすび１７を解き、表袋７から内袋１をはずして、内袋１の湿気と汗との水分を天日に干し、蓬２の更生が得ることを特徴とする請求項１に記載の真綿に包んだ膝掛け布団１９である。
【考案の詳細な説明】
【技術分野】
【０００１】  本考案は、蓬を乾燥し、葉の部分を３０００回ほど叩いた艾状の蓬を真綿に包んだひざ掛け布団に関するものである。
【背景技術】
【０００２】  従来は、膝掛けといえば、毛布、毛糸で編んだものを用いていたところである。どちらかといえば、生地は見栄えが悪く、重さも重くごわごわで布で欠点が多くあった。【０００３】  しかし、本案は、蓬の葉を叩いて軸を捨てて作った綿状の艾を芯にして真綿で包み、平らに伸ばして膝掛けを作り、全体的に軟らかく軽くでき、真綿も綿状の艾も保温性に富み、仄かの匂いと暖かさとの相乗効果により、実用に共さられている。
【先行技術文献】
【特許文献】
【０００４】  膝掛けとしてはもちろん肩掛けとして使用しても見栄えがよく、その作成にあたっても生地素材に無駄を生じない膝掛けを提供する。【０００５】  織地や編地あるいは不織布のような布体（２）を全体として略長方形状に形成し、この略長方形状の布体（２）における長辺（３）での略中央部に、短辺（５）長さの１／３から２／３の長さの切込み（４）を長辺（３）の端縁（６）に開口する状態に形成した。
【特許文献１】特開２００７−１５４３８３号公報
【０００６】  下肢を袋３で包み込み、足の甲から腹部に亘る部位を保温可能にし、下肢障害者も容易に着脱可能で、膝掛け以外の他の用途にも用いることのできる多目的膝掛けを提供する。【０００７】  可撓性、保温性、防寒性部材よりなる本体１は、人の下半身正面を覆う大きさの縦長な長方形状に形成されている。本体１の裏面下部には、横帯２を設け、本体１と横帯２とで上下を開口した袋３を形成する。横帯２の下側縁対応位置よりも下方に、本体１を延設して足の甲覆い部４となしている。
【特許文献２】特開２００３−１１６６９４号公報
【０００８】  股間や内ももを冷気から保護することを目的とする。足巻き部と前垂れ部を設けて構成する。
【実用新案文献３】
登録実用新案公報  実用新案登録第３０７２５８３号
【０００９】  椅子などに座った状態で、膝掛けを膝に掛けたり、ずれ落ちないように脚部に巻きつけていても、立ち上がろうとしたり少し姿勢を崩したりしたとき、膝掛けを手で押さえておかないとずれたり床に落とすことがある。車椅子を利用しているときは、両手を使い車椅子を操作するので特に膝掛けがずれ落ち易い。この状況に対処できる着脱が容易でずれ落ちない膝掛けを提供する。
【００１０】  膝掛けに形状記憶材を着脱するための開口部と装着時の形状記憶材５の脱落を防止するための蓋部を有する形状記憶材装着用袋体２を設け、形状記憶材５を必要に応じて自由に出し入れができる構造にする。この形状記憶材装着用袋体２に形状記憶材５を装着した状態で大腿部又は腰部を挟み込んで使用することで膝掛けのずれ落ちを防止する。
【実用新案文献４】
登録実用新案公報  実用新案登録第３１５５６１６号
【００１１】  例えば香り袋などの機能材を設けた場合でも掛布団本体が不自然に膨らむことがなく、違和感や不快感を感じにくい掛布団を提供する。
【００１２】  掛布団は、掛布団本体に着脱可能な芳香クッション３を備えている。掛布団本体は、襟元側に管状に形成されたクッション収容部を備えている。芳香クッション３には、平面視長方形状の香り袋５を着脱自在に収容できる袋収容部３２，３２が長手方向に所要間隔を置いて並設されている。芳香クッション３は、表布３３１と裏地３３２の間に羽毛などの充填材６を入れて縫い合わせることで、大まかな外形が形成されている。表布３３１と裏地３３２の間には、区画シート７，７が縫い合わせてあり、充填材６が入った部分と区画することで香り袋５の収容空間部８が構成されている。各区画シート７はメッシュ状に形成され、通気性を有している。
【特許文献１】特開２００３−１００２０号公報
【００１３】  以上の特許２件及び登録実用新案２件に係る膝掛けの先行技術があり、他の特許１件は、香り袋などの機能材を設けた掛布団もあるが見栄えも悪く、重い等の何れも欠点を有している。
【考案の概要】
【考案が解決しようとする課題】
【００１４】  解決しようとする問題点は、周りがビーズ、装飾品等で重く、中身は真綿と蓬の葉を３０００回叩いて艾状にし、その機材としては、超軽くて安定感があり、全体的には軽く、仄かな匂いも有り、蓬の成分も出て、保温性も富み、膝掛けとしても幼児の昼寝布団としても最適である。
【課題を解決するための手段】
【００１５】  本考案は、内袋の中身である、乾燥した蓬を３０００回ほど叩き、艾状にして、これを平らに伸ばして引き、真綿で包んで布の内袋に入れて綴じ、中身の蓬が片方によらないために、間隔で縦長に荒く縫糸で縫い、内袋の４隅に紐を縫い合わせて構成され、表袋は、周りに毛糸とビーズで花模様を作り、４隅に造花を設置し、表地の周り花模様を描いて装飾帯を設けてなり、一部隅には造花を設けて装飾されて表地を構成され、表袋の内側には、４隅に紐を縫い付けてなり、裏側の上部には出入口から内袋を入らせて４隅の紐と表袋の内側４隅の紐とを蝶むすびに設けて、それぞれを結び付けて、出入口に設けた接着具を接着し、真綿に包んだ膝掛け布団を作り、膝にかけ又は幼児の昼寝に掛け布団として用い、中身の蓬から心地よい蓬の香りと蓬の成分がにじみ出て、暖かく暖まる成分がでて、膝掛けとしての効果があり、幼児の昼寝に掛け布団として用いても、睡眠が良くとれる等して最適であることを特徴とする真綿に包んだ膝掛け布団である。【００１６】  表袋は、出入口に設けた接着具をはずして、４隅にある表袋内側の紐と内袋の外側の紐蝶むすびを解き、表袋から内袋をはずし、さらに、表袋の一端に造花をはずして、表袋の染みなどの汚れを洗濯することができることを特徴とする真綿に包んだ膝掛け布団である。【００１７】  内袋は、出入口に設けた接着具をはずして、４隅にある表袋の内側の紐と内袋の紐蝶むすびを解き、表袋から内袋をはずして、内袋の湿気と汗を天日に干し、蓬の更生が得ることを特徴とする真綿に包んだ膝掛け布団である。
【考案の効果】
【００１８】  本考案の真綿に包んだ蓬の膝掛け布団は、極めて保温性に優れ、更に軽くて柔らかく、寒い折膝にかけ又は幼児の昼寝に掛け布団として用い、中身の蓬から心地よい蓬の香りと蓬の成分がにじみ出て、暖かく暖まる成分がでて、膝掛けとしての効果があり、幼児の昼寝に用いても暖かく睡眠が良くとれるので最適であることを利点がある。【００１９】  紫外線を遮断、人間に必要な１８種類のアミノ酸を含んでいるので身近にまとうとことで皮膚細胞の活力を増進させ血管硬貨を防ぎ若さを保つ効果が有り、頭痛、肩こり、不眠症、慢性便秘、温熱治療、低周波治療、神経痛、冷え性、喘息、皮膚病などの予防に役立つものである。
【図面の簡単な説明】
【００２０】
【図１】図１は真綿に包んだ蓬の膝掛け布団の正面説明図である。
【図２】図２は真綿に包んだ蓬の膝掛け布団の裏面入り口を大きく開けた説明図である。
【図３】図３は内袋１正面図で、上記左側の一部切り開いた部分は中身の３０００回叩いた蓬の部分を示す部分であり、上記右側の一部切り開いた部分は、真綿に包んだ蓬の部分を示す部分であり、下記の部分は、真綿に包んだ蓬の部分を布の内袋１に入れて、中身の真綿に包んだ蓬が片方に寄らないために縦に荒く縫いた状態を示す説明図である。
【図４】図４は内袋１の中間省略をした中央断面図を示す説明図である。
【図５】図５は表袋７の中間省略をした中央断面図で、周りの装飾帯を取り除いた部分を示す説明図である。
【図６】図６は表袋７周りの装飾帯を取り除いた部分を示す表袋７本体の平面図でその説明図である。
【図７】図７は、図６の表袋７の中間省略をし、周りの装飾帯をも全体の平面図の説明図である。
【図８】図８は、大人用の掛け布団として用いも物である。
【考案を実施するための形態】
【００２１】  ハウジング外または可能な限りハウジング側端部に近い位置からイメージを入力するという目的を、最小の部品点数で、光学系構成部品の厚みを損なわずに実現した。
【実施例１】
【００２２】  図１は、本考案の真綿に包んだ蓬２の膝掛け布団１９の正面説明図であって、４隅に造花１１を設け、そして一端には大きめの造花１４を設け周りは、毛糸で花模様１０を編みビーズ９で装飾帯１３を設け、表袋７の周りを細かい縫糸５で縫い付け、豪華な飾り付けとし、内側に花模様の表地１２を用いて表袋７を構成するものである。【００２３】  図２は、真綿に包んだ蓬２の膝掛け布団１９の裏面で、裏面入り口を大きく開けた説明図であって、入り口付近には、接着具１５が設けられ、表袋７の内側４隅には、内袋１と蝶結び１７をする紐１６が設けられている。そして、表袋７の表面の周りには、毛糸で花模様１０を編みビーズ９で装飾帯１３を細かい縫糸５で縫い付け表袋７を構成する。【００２４】  図３は内袋１正面図で、上記左側の一部切り開いた部分は中身の蓬２を３０００回叩いた艾状の部分を示す部分であり、上記右側の一部切り開いた部分は、真綿３に包んだ蓬の部分を示す部分であり、下記の部分は、真綿に包んだ蓬２の部分を布袋に入れて内袋１とし、中身の真綿に包んだ蓬２が片方に寄らないために縦に荒い縫糸５で縫い付けた状態を示す説明図である。【００２５】  図４は内袋１の中間省略をした中央縦断面図を示す説明図であるが、内側の斜線２から説明すると、蓬２を３０００回叩いた艾状の部分を示し、次の斜線３は、真綿３あり、外側の斜線４は、内袋１の布であり、上下の紐６は、表袋７の紐１６と蝶むすび１７をするための紐６である。【００２６】  図５は表袋７の中間省略をした中央縦断面図で、周りの装飾帯を取り除いた部分を示す全体の袋の部分の説明図であり、内側の斜線２から説明すると、蓬２を３０００回叩いた艾状の部分を示し、次の斜線３は、真綿３あり、外側の斜線１は、内袋１の布であり、内袋１の上下の紐６は、表袋７の紐１５と蝶むすび１７をするための紐６であり、一番外側の斜線７は、表袋７であり、表袋７内側の４隅に縫い付けられた紐１５は、内袋１の紐６とを蝶むすび１７をするためのものである。そして上部には内袋１の出入口１６があり、その付近には接着具１８が設けられている。【００２７】  図６は表袋７周りの装飾帯を取り除いた部分を示す表袋７本体の平面図でその説明図である。表袋７の上方に出入口１６とその付近に接着具１８が設けられている。【００２８】  図７は表袋７の中間省略をした全体の平面図でその説明図であるがその外側は表袋７であり、その上方に出入口１６とその付近に接着具１８が設けられている。周りには、毛糸で花模様１０の装飾帯１３が設けられその装飾帯１３にビーズ９が綺麗に飾られており、４隅には造花１０が飾られている。
【実施例２】
【００２９】  図８は、大人用の掛布団１９として用いるもので、上から一番目に切り開いた部分は、１は内袋の部分で、真綿３と蓬が片方に片寄らないように荒い縫糸４で縫った状況を示すもので、上から二番目に切り開いた部分は、真綿３の状況を示すもので、終わりに示す三番目に切り開いた部分は、蓬２の部分を示すものである。【００３０】  この掛布団１９を掛けると仄かの蓬のにおいと蓬から出る成分効果から暖かく温まるので、睡眠が良く保たれる効果があり、膝掛けとして又赤ちゃんの掛け布団や乳母車に乗せる時の掛け布団としても多目的に使用できるものである。
【産業上の利用可能性】
【００３１】  本考案は、蓬を乾燥し、３０００回ほど叩いた蓬を艾状にし、真綿に包んだ膝掛け布団に関するもので、寒い折膝にかけ又は幼児の昼寝に掛け布団として用い、中身の蓬から心地よい蓬の香りと蓬の成分がにじみ出て、暖かく暖まる成分がでて、膝掛けとしての効果があり、膝掛けとして又赤ちゃんの掛け布団や乳母車に乗せる時の掛け布団としても多目的に使用でき、幼児の昼寝に用いても暖かく睡眠が良くとれるので最適である。
【符号の説明】
【００３２】１    内袋
２    蓬
３    真綿
４    荒い縫糸
５    細かい縫糸
６    内袋の４隅に紐（６１・６２・６３・６４）
７    表袋
８    毛糸
９    ビーズ
１０  花模様
１１  ４隅に造花
１２  表地
１３  装飾帯
１４  造花
１５  表袋７の内側の紐（１５１・１５２・１５３・１５４）
１６  出入口
１７  蝶結び
１８  接着具
１９  膝掛け布団
【図１】
0003164856.tif 000003
【図２】
0003164856.tif 000004
【図３】
0003164856.tif 000005
【図４】
0003164856.tif 000006
【図５】
0003164856.tif 000007
【図６】
0003164856.tif 000008
【図７】
0003164856.tif 000009
【図８】
0003164856.tif 000010
【手続補正書】
【提出日】平成22年9月29日(2010.9.29)
【手続補正１】
【補正対象書類名】実用新案登録請求の範囲
【補正対象項目名】全文
【補正方法】変更
【補正の内容】
【実用新案登録請求の範囲】
【請求項１】
内袋１は、乾燥した蓬２を３０００回ほど叩き、艾状にして、これを平らに伸ばして引き、真綿３で包んで布の袋４に入れて綴じ、中身の蓬２が片方によらないために、７ｃｍ間隔で縦長に荒い縫糸４で縫い、内袋の４隅に紐６（６１・６２・６３・６４）を縫い合わせて構成され、表袋７は、周りに毛糸８とビーズ９で花模様１０を作り、４隅に造花１１を設置し、表地１２の周り花模様を描いて装飾帯１３を設けてなり、一部隅には造花１４を設けて装飾されて表地１２を構成され、表袋７の内側には、４隅に紐１５（１５１・１５２・１５３・１５４）を縫い付けてなり、裏側の上部には出入口１６から内袋１を入らせて４隅の紐６１・６２・６３・６４と表袋７の内側４隅の紐１５１・１５２・１５３・１５４とを蝶むすび１７に設けて、出入口１６に設けた接着具１８を接着し、真綿に包んだ膝掛け布団２１を作り、膝にかけ又は幼児の昼寝に掛け布団として用い、中身の蓬２から心地よい蓬２の香りと蓬の成分がにじみ出て、暖かく暖まる成分がでて、膝掛けとしての効果があり、幼児の昼寝に掛け布団として用いても、睡眠が良くとれる等して最適であることを特徴とする真綿に包んだ膝掛け布団１９である。
【請求項２】
表袋７は、出入口１６に設けた接着具１８をはずして、４隅にある表袋７内側の紐１５と内袋１の外側の紐６蝶むすび１７を解き、表袋７から内袋１をはずし、さらに、表袋７の一端に造花１４をはずして、表袋７の染みなどの汚れを洗濯することができることを特徴とする請求項１に記載の真綿に包んだ膝掛け布団１９である。
【請求項３】
内袋１は、入り口に設けた接着具１８をはずして、４隅にある表袋７の内側の紐１５と内袋の紐６蝶むすび１７を解き、表袋７から内袋１をはずして、内袋１の湿気と汗との水分を天日に干し、蓬２の更生が得ることを特徴とする請求項１に記載の真綿に包んだ膝掛け布団１９である。
【手続補正２】
【補正対象書類名】明細書
【補正対象項目名】００２５
【補正方法】変更
【補正の内容】
【００２５】図４は内袋１の中間省略をした中央縦断面図を示す説明図であるが、内側の斜線２から説明すると、蓬２を３０００回叩いた艾状の部分を示し、次の斜線３は、真綿３あり、外側の斜線４は、内袋１の布であり、上下の紐６は、表袋７の紐１５と蝶むすび１７をするための紐６である。